(57)【要約】【課題】１２セグメント放送と１セグメント放送とにより放送コンテンツが送出されている場合に、１セグメント放送に対応するクライアント端末で所望の放送コンテンツの再生を可能にするシステムにおいて、記録再生装置の負担を増大させず、且つ、上記両放送について予約内容が整合した記録予約をクライアント端末側から簡便に行えるようにする。【解決手段】ホームゲートウェイ３００内にデジタルチューナ機能を有する１セグメント放送受信部３０５と、クライアント端末２００側から設定された記録予約内容を保持する記録予約内容保持部（録画予約情報記憶部３０３）備える。ホームゲートウェイ３００は、通信網１１０を通してクライアント端末２００に１セグメント放送を供給する一方、記録再生装置４００に設定されている録画予約内容を、自己の録画予約情報記憶部３０３に登録されている録画予約内容に整合させるように記録再生装置４００を制御する。【選択図】  図１
2010273171.tif 000002
【特許請求の範囲】
【請求項１】
所定仕様の第１の伝送方式と該所定仕様とは異なる仕様の第２の伝送方式とにより送出される放送における前記第２の伝送方式に対応するクライアント端末に対し、前記クライアント端末側から選択された放送コンテンツのデータを供給可能なホームゲートウェイであって、
前記第２の伝送方式による放送コンテンツを前記クライアント端末側からの操作に応じて選択するチューナ部と、
前記クライアント端末側から設定された記録予約内容を保持する記録予約内容保持部と、
前記記録予約内容保持部で保持している記録予約内容に、前記第１の伝送方式に対応する記録再生装置側で保持している記録予約内容を整合させるように前記記録再生装置を制御する記録予約内容整合制御部と、
を備えていることを特徴とするホームゲートウェイ。
【請求項２】
前記記録予約内容整合制御部は、
前記記録再生装置に対し保持している記録予約内容を問合せる記録予約内容問合せ部と、
前記記録予約情報問合せ部からの問合せに応答して前記記録再生装置側から供給された記録予約内容のうち前記記録予約内容保持部で既に保持している記録予約内容に含まれない未予約内容があるときには該未予約内容を前記記録予約内容保持部における記録予約内容に補充する予約補充処理部と、
を更に備えていることを特徴とする請求項１に記載のホームゲートウェイ。
【請求項３】
前記記録予約内容整合制御部は、
自装置に対応する前記記録再生装置の仕様を識別する記録再生装置識別部と、
前記記録再生装置識別部で識別された前記記録再生装置の仕様に適合するコマンドフォーマットを選択し該コマンドフォーマットによる予約制御指令を前記記録再生装置に供給することにより前記記録予約内容保持部で保持している記録予約内容に整合させるように前記記録再生装置における記録予約状態を制御する予約制御指令部と、
を備えていることを特徴とする請求項１に記載のホームゲートウェイ。
【請求項４】
記録予約内容の設定に用いられたクライアント端末側からユーザを特定するユーザＩＤを受信し、該ユーザＩＤに対応する内容の記録予約を自動的に設定する自動記録設定部を備えていることを特徴とする請求項１に記載のホームゲートウェイ。
【請求項５】
前記放送はＩＳＤＢ−Ｔ（Integrated Services Digital Broadcasting-Terrestrial）方式によるものであり、前記第１の伝送方式は１２セグメントによる放送サービスの伝送方式であり、前記第２の伝送方式は１セグメントによる放送サービスの伝送方式であることを特徴とする請求項１に記載のホームゲートウェイ。
【請求項６】
クライアント端末に対し該クライアント端末側から選択された放送コンテンツのデータを供給可能なホームゲートウェイにおける記録予約方法であって、
所定仕様の第１の伝送方式と該所定仕様とは異なる仕様の第２の伝送方式とにより送出される放送における前記第２の伝送方式に対応するクライアント端末から設定された放送コンテンツの記録予約を行う記録予約ステップと、
前記第１の伝送方式に対応する記録再生装置における放送コンテンツの記録予約内容を、前記記録予約ステップで予約した予約内容に整合させる予約内容整合ステップと、
を含むことを特徴とする記録予約方法。
【発明の詳細な説明】
【技術分野】
【０００１】
本発明は、主に宅内で用いられるパーソナルコンピュータ、映像機器、音響機器等の宅内機器と宅外の通信網との中継、ないし、これら宅内機器をＬＡＮにより結んだ所謂ホームネットワークと宅外の通信網との中継を行うホームゲートウェイ、および、このホームゲートウェイを用いた記録予約方法に関する。
【背景技術】
【０００２】
近年、所謂ホームネットワークでデジタル音響・映像機器同士やパーソナルコンピュータを相互に接続し、動画、音楽、静止画等のコンテンツデータを相互利用するシステムが普及しつつある。ホーム・ネットワークにおける一つの形態ではＤＬＮＡ（Digital Living Network Alliance）所定のガイドラインに準拠した通信方式で音響・映像機器やパーソナルコンピュータ間を相互に接続する。
【０００３】
また、家庭内ＬＡＮであるホームネットワーク（宅内）と外部の通信網（宅外）との中継を行うホームゲートウェイ（ゲートウェイサーバ）が用いられる。
また一方、近年、ホームネットワークをクライアント端末から遠隔制御するシステムが開発されている。例えば記録再生装置はクライアント端末から遠隔録画予約制御することが可能であり、記録再生装置に録画した番組をクライアント端末に持ち出して外出先で視聴するなどのサービスが実現されている。
【０００４】
このようなサービスを行うシステムでは、クライアント端末から様々な家庭用電気器具を遠隔制御するために、ホームネットワークとインターネットとの間はホームゲートウェイを介して相互接続される。そして、クライアント端末はこのホームゲートウェイを介して記録再生装置を制御する。
このようなホームゲートウェイを介在にしたコンテンツの視聴に関する技術提案も既になされている（例えば、特許文献１参照）。
【０００５】
特許文献１には、宅外で携帯電話機によりコンテンツを視聴する場合には、インターネット経由でホームゲートウェイにアクセスし、ホームゲートウェイがホームネットワーク内に接続されているＤＬＮＡプレーヤやＤＬＮＡサーバに対してコンテンツを要求し、このホームゲートウェイを経由して携帯電話機でコンテンツを視聴できるようにした技術が開示されている。一方、携帯電話機を宅内に持ち込むと、これまで宅外で視聴していたのと同じ内容のコンテンツを、宅内のＤＬＮＡプレーヤで視聴できる旨開示されている。
【０００６】
尚、「ホームゲートウェイ」と通称されている製品の多くはブロードバンド・ルーターであり、常時接続型のブロードバンド・サービスにおけるインターネット接続に加えてＩＰ電話やコンテンツ配信サービス適用するルーターを「ホームゲートウェイ」と称することが多い。しかしながら、本明細書においては、主に宅内で用いられるパーソナルコンピュータ、映像機器、音響機器等の宅内機器と宅外の通信網との中継、ないし、これら宅内機器をＬＡＮにより結んだ所謂ホームネットワークと宅外の通信網との中継を行うゲートウェイを凡そホームゲートウェイと称する。
【０００７】
ところで、ＩＳＤＢ−Ｔ（Integrated Services Digital Broadcasting-Terrestrial）方式によるテレビジョン放送では、帯域幅約429kHzを１単位とし、１３個のセグメントを組み合わせた帯域幅（約5.75MHz）を一つのチャンネルに割り当てている。この１３セグメントのうち、１２セグメントを用いて固定受信端末向けサービスを提供し、残り１セグメントを用いて携帯端末（クライアント端末）向けサービス(ワンセグ・サービス)を提供する。両者のサービス間では、同時に同じ番組を放送するサイマル放送が可能である。即ち、１２セグメント放送と１セグメント放送とでは、変調方式等の伝送方式の仕様を異にする同一内容の放送が放送され得る。
【０００８】
しかしながら、受信側の装置（受信端末）にはそれぞれの放送に対応したチューナ機能が必要となる。通常、固定受信端末である記録再生装置は１２セグメント放送向けのチューナを備えている。このため、上述の記録再生装置によって録画したコンテンツをクライアント端末へ持ち出す場合には、クライアント端末側で再生可能な形式へとトランスコーダ等によって変換する処理が必要である。或いはまた、記録再生装置において１２セグメント放送のみならず１セグメント放送をも受信し録画できるような構成を備え、これにより１セグメント放送による録画をクライアント端末に供給する方法が考えられる。
【０００９】
このように、１２セグメント放送のみならず１セグメント放送をも受信し録画できる構成を備えた記録再生装置が既に提案されている（例えば、特許文献２参照）。
特許文献２には、ある番組をこの記録再生装置で記録した場合、当該番組の１２セグメント放送のデータ（高画質、高音質のデータ）を記録再生装置によって再生する一方、当該番組の１セグメント放送のデータを他の記憶媒体にムーヴして携帯機器で再生することができると開示されている。
【００１０】
更に、１２セグメント放送と１セグメント放送とを双方とも録画できる記録再生装置は他にも提案されている（例えば、特許文献３参照）。
特許文献３には、１２セグメント放送コンテンツと１セグメント放送コンテンツとをそれぞれの管理情報を関連付けて記録しておき、コンテンツを再生可能なクライアント端末を接続した際に、該記録した１セグメント放送コンテンツをその管理情報と共にそのクライアント端末にムーブする技術が開示されている。
【先行技術文献】
【特許文献】
【００１１】
【特許文献１】特開２００８−２０６０７７号公報（要約、段落００１６〜段落００２０等参照）
【特許文献２】特開２００８−２５２５９０号公報（要約、段落００３９等参照）
【特許文献３】特開２００９−０５５６２９号公報（要約、段落００３８〜段落００４２等参照）
【発明の概要】
【発明が解決しようとする課題】
【００１２】
既述のように、１２セグメント放送に対応する一般的な記録再生装置によって録画したコンテンツをクライアント端末へ持ち出す場合には、記録再生装置側にトランスコーダ等を備え、これによりクライアント端末で再生可能な信号形式に変換する必要がある。
しかしながら、このような信号変換には長時間を要する。従って、記録再生装置側で直近に録画したコンテンツをクライアント端末に持ち出したい場合などには即応性がないため対応できず利便性が低い。
【００１３】
一方、記録再生装置で１セグメント放送をも受信し録画する場合には、記録再生装置は通常の１２セグメント放送に対応する受信および録画機能に加えて、１セグメント放送を受信するチューナおよび録画機能を具備する必要があり、既存の記録再生装置では対応していないものが多い。
上掲の特許文献２および３所載の提案におけるように、記録再生装置で１２セグメント放送のみならず１セグメント放送をも受信し録画できるようにすることは技術的には可能ではある。この場合は、録画した１セグメント放送のコンテンツをクライアント端末に持ち出すようにすれば、そのための信号変換の即応性等の問題は解決できる。
【００１４】
しかしながら、記録再生装置を特許文献２および３所載のように構成することは装置の複雑化が避けられずコストが嵩みユーザの負担も大きい。
また、放送コンテンツを一旦記録して後の任意の時点で再生可能にするために、所望の放送コンテンツの記録を予約する機能は、この種の放送コンテンツを受信する装置に必須の機能であるとも言える。しかしながら、仕様を異にする伝送方式の放送コンテンツの双方について予約内容が整合した記録予約をクライアント端末側から簡便に行う技術は未だ提案されるに到っていない。
【００１５】
本発明は上述のような状況に鑑みてなされたものであり、仕様を異にする第１の伝送方式（例えば、１２セグメント放送）と第２の伝送方式（例えば、１セグメント放送）とにより放送コンテンツが送出されている場合に、第２の伝送方式に対応するクライアント端末で所望の放送コンテンツの再生を可能にするシステムにおいて、記録再生装置の負担を増大させず、且つ、仕様を異にする伝送方式の放送の何れについても、予約内容が整合した記録予約を、クライアント端末側から、簡便に行うことができるホームゲートウェイおよび記録予約方法を提供することを目的とする。
【課題を解決するための手段】
【００１６】
上記課題を解決するために、茲に、以下に列記する技術を提案する。
（１）所定仕様の第１の伝送方式と該所定仕様とは異なる仕様の第２の伝送方式とにより送出される放送における前記第２の伝送方式に対応するクライアント端末に対し、前記クライアント端末側から選択された放送コンテンツのデータを供給可能なホームゲートウェイであって、
前記第２の伝送方式による放送コンテンツを前記クライアント端末側からの操作に応じて選択するチューナ部と、
前記クライアント端末側から設定された記録予約内容を保持する記録予約内容保持部と、
前記記録予約内容保持部で保持している記録予約内容に、前記第１の伝送方式に対応する記録再生装置側で保持している記録予約内容を整合させるように前記記録再生装置を制御する記録予約内容整合制御部と、
を備えていることを特徴とするホームゲートウェイ。
【００１７】
上記（１）のホームゲートウェイは、所定仕様の第１の伝送方式と該所定仕様とは異なる仕様の第２の伝送方式とにより送出される放送における前記第２の伝送方式に対応するクライアント端末に対し、前記クライアント端末側から選択された放送コンテンツのデータを供給する。
そのチューナ部が、前記第２の伝送方式による放送コンテンツを前記クライアント端末側からの操作に応じて選択する。
また、その記録予約内容保持部が、前記クライアント端末側から設定された記録予約内容を保持する。
更に、その記録予約内容整合制御部が、前記記録予約内容保持部で保持している記録予約内容に、前記第１の伝送方式に対応する記録再生装置側で保持している記録予約内容を整合させるように前記記録再生装置を制御する。
【００１８】
（２）前記記録予約内容整合制御部は、
前記記録再生装置に対し保持している記録予約内容を問合せる記録予約内容問合せ部と、
前記記録予約情報問合せ部からの問合せに応答して前記記録再生装置側から供給された記録予約内容のうち前記記録予約内容保持部で既に保持している記録予約内容に含まれない未予約内容があるときには該未予約内容を前記記録予約内容保持部における記録予約内容に補充する予約補充処理部と、
を更に備えていることを特徴とする（１）のホームゲートウェイ。
【００１９】
上記（２）のホームゲートウェイは、（１）のホームゲートウェイにおいて特に、その記録予約内容問合せ部が、前記記録再生装置に対し保持している記録予約内容を問合せる。
また、その予約補充処理部が、前記記録予約情報問合せ部からの問合せに応答して前記記録再生装置側から供給された記録予約内容のうち前記記録予約内容保持部で既に保持している記録予約内容に含まれない未予約内容があるときには該未予約内容を前記記録予約内容保持部における記録予約内容に補充する。
【００２０】
（３）前記記録予約内容整合制御部は、
自装置に対応する前記記録再生装置の仕様を識別する記録再生装置識別部と、
前記記録再生装置識別部で識別された前記記録再生装置の仕様に適合するコマンドフォーマットを選択し該コマンドフォーマットによる予約制御指令を前記記録再生装置に供給することにより前記記録予約内容保持部で保持している記録予約内容に整合させるように前記記録再生装置における記録予約状態を制御する予約制御指令部と、
を備えていることを特徴とする（１）のホームゲートウェイ。
【００２１】
上記（３）のホームゲートウェイは、（１）のホームゲートウェイにおいて特に、その記録予約内容整合制御部では、記録再生装置識別部が、自装置に対応する前記記録再生装置の仕様を識別する。また、予約制御指令部が、この記録再生装置識別部で識別された前記記録再生装置の仕様に適合するコマンドフォーマットを選択し該コマンドフォーマットによる予約制御指令を前記記録再生装置に供給することにより前記記録予約内容保持部で保持している記録予約内容に整合させるように前記記録再生装置における記録予約状態を制御する。
【００２２】
（４）記録予約内容の設定に用いられたクライアント端末側からユーザを特定するユーザＩＤを受信し、該ユーザＩＤに対応する内容の記録予約を自動的に設定する自動記録設定部を備えていることを特徴とする（１）のホームゲートウェイ。
上記（４）のホームゲートウェイは、（１）のホームゲートウェイにおいて特に、自動記録設定部が、記録予約内容の設定に用いられたクライアント端末側からユーザを特定するユーザＩＤを受信し、該ユーザＩＤに対応する内容の記録予約を自動的に設定する。
【００２３】
（５）前記放送はＩＳＤＢ−Ｔ（Integrated Services Digital Broadcasting-Terrestrial）方式によるものであり、前記第１の伝送方式は１２セグメントによる放送サービスの伝送方式であり、前記第２の伝送方式は１セグメントによる放送サービスの伝送方式であることを特徴とする（１）のホームゲートウェイ。
上記（５）のホームゲートウェイは、（１）のホームゲートウェイにおいて特に、前記放送はＩＳＤＢ−Ｔ方式によるものであり、前記第１の伝送方式は１２セグメントによる放送サービスの伝送方式であり、前記第２の伝送方式は１セグメントによる放送サービスの伝送方式である。即ち、クライアント端末は１セグメントによる放送サービスに対応しており、前記記録再生装置は１２セグメントによる放送サービスに対応している。そして、ホームゲートウェイは、１セグメントによる放送サービスのコンテンツを受信し、且つ、記録予約できる。
【００２４】
（６）クライアント端末に対し該クライアント端末側から選択された放送コンテンツのデータを供給可能なホームゲートウェイにおける記録予約方法であって、
所定仕様の第１の伝送方式と該所定仕様とは異なる仕様の第２の伝送方式とにより送出される放送における前記第２の伝送方式に対応するクライアント端末から設定された放送コンテンツの記録予約を行う記録予約ステップと、
前記第１の伝送方式に対応する記録再生装置における放送コンテンツの記録予約内容を、前記記録予約ステップで予約した予約内容に整合させる予約内容整合ステップと、
を含むことを特徴とする記録予約方法。
【００２５】
上記（６）の記録予約方法は、クライアント端末に対し該クライアント端末側から選択された放送コンテンツのデータを供給可能なホームゲートウェイにおいて実行される。
その記録予約ステップでは、所定仕様の第１の伝送方式と該所定仕様とは異なる仕様の第２の伝送方式とにより送出される放送における前記第２の伝送方式に対応するクライアント端末から設定された放送コンテンツの記録予約を行う。
また、その予約内容整合ステップでは、前記第１の伝送方式に対応する記録再生装置における放送コンテンツの記録予約内容を、前記記録予約ステップで予約した予約内容に整合させる。
【発明の効果】
【００２６】
仕様を異にする第１の伝送方式（例えば、１２セグメント放送）と第２の伝送方式（例えば、１セグメント放送）とにより放送コンテンツが送出されている場合に、第２の伝送方式に対応するクライアント端末で所望の放送コンテンツの再生を可能にするシステムにおいて、記録再生装置の負担を増大させず、且つ、仕様を異にする伝送方式の放送の何れについても、予約内容が整合した記録予約を、クライアント端末側から、簡便に行うことができるホームゲートウェイおよび記録予約方法が実現される。
【図面の簡単な説明】
【００２７】
【図１】本発明の一つの実施の形態としてのホームゲートウェイを含む放送コンテンツの記録予約システムの構成を表す概念図である。
【図２】図１の放送コンテンツの記録予約システムにおけるクライアント端末の構成を表す機能ブロック図である。
【図３】図１の放送コンテンツの記録予約システムにおけるホームゲートウェイの構成を表す機能ブロック図である。
【図４】図１の放送コンテンツの記録予約システムにおける記録再生装置の構成を表す機能ブロック図である。
【図５】図２のクライアント端末の動作を表すフローチャートである。
【図６】図３のホームゲートウェイの動作を表すフローチャート（その１）である。
【図７】図４の記録再生装置の動作を表すフローチャート（その１）である。
【図８】図３のホームゲートウェイの動作を表すフローチャート（その２）である。
【図９】図４の記録再生装置の動作を表すフローチャート（その２）である。
【図１０】記録予約に適用されるデータフォーマットを例示する図である。
【発明を実施するための形態】
【００２８】
以下に、図面を参照して本発明の実施の形態について詳述することにより、本発明を明らかにする。尚、以下に説明する例においては、記録予約の対象とされる放送コンテンツは、デジタルテレビジョン放送の放送コンテンツであるため、その記録については録画と称している。しかしながら、本発明の技術思想においては、記録予約の対象とされる放送コンテンツはデジタルテレビジョン放送の放送コンテンツに限定される趣旨ではなく、音声放送のコンテンツ等も記録予約の対象とされ得る。
【００２９】
（放送コンテンツの記録予約システムの概要）
図１は、本発明の一つの実施の形態としてのホームゲートウェイを含む放送コンテンツの記録予約システムの構成を表す概念図である。
図１において、記録予約システム１００は、複数のクライアント端末２００が、例えば、移動通信網やインターネット等の通信網１１０を通して、宅内のホームゲートウェイ３００に接続され得るように構成されている。ホームゲートウェイ３００は、ＤＬＮＡのガイドラインに準拠した通信方式のホームネットワーク１２０を通して記録再生装置４００およびデジタルテレビ受像機５００と結ばれている。
【００３０】
図１の例では、クライアント端末２００のうちの一つは携帯電話機２００ａであり、他の一つはＰＤＡ２００ｂである。これらのクライアント端末２００（２００ａ、２００ｂ）は、本発明に関係する要部において後述するように略同様の構成を持つため、以下、適宜、クライアント端末２００と総称する。
クライアント端末２００は通信網１１０を通して宅内のホームゲートウェイ３００に放送コンテンツの選択や記録予約（本例では、録画予約）の操作を行い、ホームゲートウェイ３００側では、この操作に応じて、受信する放送コンテンツの選択や録画予約の登録を実行する。
【００３１】
ホームゲートウェイ３００は受信し、或いは、登録された録画予約に従って録画した放送コンテンツを、通信網１１０を通してクライアント端末２００に供給する。
一方、ホームゲートウェイ３００は、ホームネットワーク１２０を通して記録再生装置４００における録画予約登録状況を表す情報を取得する。そして、クライアント端末２００から設定された自装置における録画予約登録状況と記録再生装置４００における録画予約登録状況を比較して、両者の録画予約登録状況が齟齬している場合には、自装置における録画予約登録状況に記録再生装置４００における録画予約登録状況を整合させるように記録再生装置４００を制御する。
【００３２】
尚、図１に例示された記録予約システム１００における通信網１１０には、より詳細には、有線区間と無線区間の区分や、介在する所要の装置ないし設備の存在がある。しかしながら、本発明の技術思想に言及するについては、上述のような区分や設備の状況を問うものではないため、これらについての特段の解説は省略する。
また、ホームネットワーク１２０は、必ずしもＤＬＮＡのガイドラインに準拠した通信方式のものに限られず、ＤＬＮＡによらないＬＡＮも適用され得る。
【００３３】
（クライアント端末の構成）
図２は、図１の放送コンテンツの記録予約システム１００におけるクライアント端末２００の構成を表す機能ブロック図である。
このクライアント端末２００は、通信部２０１、入力部２０２、表示部２０３、番組情報取得部２０４、録画予約情報生成部２０５、番組情報記憶部２０６を含む。
通信部２０１は、電子番組表を提供するサーバー（不図示）や、ホームゲートウェイ３００と通信網１１０を通して通信する機能部である。データ通信可能な様々な方式が適宜採用される。
【００３４】
入力部２０２は、入力ボタンなどの操作部材を含んで構成され、外部からの操作を受付ける、ユーザとのインターフェースとなる部分である。より具体的にはインターネットなどの電子番組表から録画する番組の選択操作、ホームゲートウェイ３００へ録画予約情報を送信する操作、および、録画済コンテンツの取り込みなどの制御に対する入力操作を受付ける。
【００３５】
表示部２０３は、ディスプレイなどのユーザとのインターフェース部から成るものであり、番組情報取得部２０４が取得した電子番組表の表示や、ホームゲートウェイ３００を制御するための操作画面を表示する。
番組情報取得部２０４は、インターネットブラウザのように、インターネット（通信網１１０）上にある電子番組表を管理するサーバー（不図示）から電子番組表を取得する。また、取得した電子番組表を表示部２０３に表示する。特に、録画予約を指定する番組に対しては、詳細番組情報をダウンロードし、該ダウンロードした詳細番組情報を番組情報記憶部２０６へ転送する。
【００３６】
録画予約情報生成部２０５は、ホームゲートウェイ３００へ録画予約情報を送信するために、番組情報生成部２０４が取得した番組情報に基づいて録画予約情報を生成する。
番組情報記憶部２０６は、番組情報取得部２０４が取得した詳細番組情報を記憶する。この番組情報記憶部２０６は、記憶している詳細番組情報を、所要に応じて録画予約情報生成部２０５に提供する。
を有する。
図２に例示するクライアント端末２００における、通信部２０１、表示部２０３、番組情報取得部２０４、録画予約情報生成部２０５、番組情報記憶部２０６は、ＩＳＤＢ−Ｔ方式によって送出される放送における１セグメント放送（第２の伝送方式）に対応する仕様である。
【００３７】
（ホームゲートウェイの構成）
図３は、図１の放送コンテンツの記録予約システムにおけるホームゲートウェイの構成を表す機能ブロック図である。
このホームゲートウェイ３００は、通信部３０１、録画予約情報登録部３０２、録画予約情報記憶部３０３、録画制御部３０４、1セグメント放送受信部３０５、録画番組記憶部３０６、記録再生装置制御部３０７、録画予約情報整合管理部３０８、および、ユーザ嗜好推定部３０９を含む。記録再生装置制御部３０７は、更に、録画予約コマンド処理部３０７ａ、および、録画予約情報問い合わせ処理部３０７ｂを含んでいる。
【００３８】
通信部３０１は、通信網１１０を通してクライアント端末２００と通信し、また、ホームネットワーク１２０を通して記録再生装置４００と通信する機能部である。この通信にはデータ通信可能な様々な方式が適宜採用される。
録画予約情報登録部３０２は、クライアント端末２００から通信網１１０を通して受信した録画予約情報を録画予約情報記憶部３０３へ登録する。録画予約情報登録部３０２は、この録画予約情報の登録に際して、送信元のクライアント端末のユーザＩＤを対応付けて登録するように構成され得る。
【００３９】
このように構成することにより、当該ユーザＩＤ毎に区分して放送コンテンツの選択実績の履歴を蓄積し、更には、学習機能を持たせることによって、高精度にそのクライアント端末のユーザの嗜好傾向を予測し得るようになる。従って、クライアント端末のユーザＩＤ毎にそのクライアント端末のユーザの嗜好に適合した放送コンテンツの自動選択を行うことが可能になる。また上述のようにして取得されるユーザの嗜好傾向の情報に依拠して、録画済コンテンツをクライアント端末に取り込んで持ち出す際にそのコンテンツの選択を自動化するように構成しても良い。
【００４０】
録画予約情報記憶部３０３は、録画予約情報登録部３０２から登録された情報（即ち、クライアント端末側から設定された記録予約内容）を記憶し管理する記録予約内容保持部を成す。この録画予約情報記憶部３０３は、他の機能部から問い合わせがあった場合は、問い合わされた情報を提供する。この録画予約情報記憶部３０３に登録される録画予約情報については、そのフォーマットを例示する図１０を参照して後述する。
【００４１】
録画制御部３０４は、録画予約情報記憶部３０３に登録されている録画予約情報に基づいて1セグメント放送受信部３０５に対して、ユーザの選択による番組（その放送コンテンツ）を録画番組記憶部３０６へ保存するように制御する。
また、このようにして保存される放送コンテンツと同じ内容の番組について、記録再生装置制御部３０７の録画予約コマンド処理部３０７ａが、記録再生装置４００において録画予約されるように制御を行う。
【００４２】
１セグメント放送受信部３０５は、チューナ部たるデジタルチューナ機能を備え、録画制御部３０４から指示された番組（即ち、クライアント端末２００からの選択操作に応じた放送コンテンツ）を選択して録画番組記憶部３０６へ転送する。
録画番組記憶部３０６は、1セグメント放送受信部３０５から受けた番組を保存する。
クライアント端末２００は録画された番組を録画番組記憶部３０６から取得することができる。
【００４３】
記録再生装置制御部３０７は、その録画予約コマンド処理部３０７ａと録画予約情報問い合わせ処理部３０７ｂを備える。記録再生装置制御部３０７は、ホームゲートウェイ３００に接続される記録再生装置４００の種類に合わせて前記２つの機能を入れ替えることが可能な機能を備える。
録画予約コマンド処理部３０７ａは、録画制御部３０４から受信した録画予約指示情報に基づいて、自装置に対応する記録再生装置の仕様を識別する。そして、識別された記録再生装置の仕様に適合するコマンドフォーマットによる録画予約コマンドを生成し、通信部３０１を介して記録再生装置４００へこの録画予約コマンドを送信する。
【００４４】
即ち、録画予約コマンド処理部３０７ａは、自装置に対応する前記記録再生装置の仕様を識別する記録再生装置識別部として機能する。更にまた、録画予約コマンド処理部３０７ａは、上述の記録再生装置識別部（記録再生装置識別部としての機能部）で識別された記録再生装置の仕様に適合するコマンドフォーマットを選択し、該コマンドフォーマットによる予約制御指令を前記記録再生装置に供給する予約制御指令部としても機能する。
録画予約情報問い合わせ処理部３０７ｂは、他機能部からの指示に従い、記録再生装置４００に対して、記録再生装置４００に登録されている録画予約情報を問合せ、その録画予約情報の取得を行う。そして、取得した録画予約情報を取得指示のあった機能部に送信する。
【００４５】
録画予約情報整合管理部３０８は、定期的に記録再生装置４００へ録画予約情報問い合わせ処理部３０７ｂを通して録画予約状況の問い合わせを行い、得られた記録再生装置４００の録画予約情報と録画予約情報記憶部３０３に保存された録画予約情報を比較し、前者の録画予約情報と後者の録画予約情報とが齟齬する場合には、記録再生装置４００における録画予約登録状況を録画予約情報記憶部３０３における録画予約登録状況に整合させるように記録再生装置４００を制御する。また、記録再生装置４００に録画予約登録されていない録画予約情報が、録画予約情報記憶部３０３に存在した場合は、録画予約コマンド機能を用いて、記録再生装置４００に対して録画予約コマンドを送信する。従って、記録再生装置制御部３０７と録画予約情報整合管理部３０８は、それらの協働により、記録予約内容保持部（録画予約情報記憶部３０３）で保持している記録予約内容に、第１の伝送方式（１２セグメント放送）に対応する記録再生装置４００側で保持している記録予約内容を整合させるようにこの記録再生装置４００を制御する記録予約内容整合制御部を成している。
【００４６】
本実施の形態では、更に、上述のような記録予約内容整合制御部において、録画予約情報問合せ処理部３０７ｂが、記録再生装置４００に対しそこで保持されている記録予約内容を問合せる記録予約内容問合せ部として機能する。更にまた、録画予約情報整合管理部３０８が、当該問合せに応答して記録再生装置４００側から供給された記録予約内容のうち記録（録画）予約内容保持部３０３で既に保持している記録予約内容に含まれない未予約内容があるときには該未予約内容を記録予約内容保持部３０３における記録予約内容に補充する予約補充処理部として機能する。
【００４７】
ユーザ嗜好推定部３０９は、録画予約情報記憶部３０３が保有する情報に基づいて、ユーザの好みの番組を推定し、推定結果を録画予約情報登録部３０２へ自動的に登録する。
即ち、ユーザ嗜好推定部３０９は、通信部３０１、録画予約情報登録部３０２と協働することによって、記録予約内容の設定に用いられたクライアント端末側からユーザを特定するユーザＩＤを受信し、該ユーザＩＤに対応する内容の記録予約を自動的に設定する自動記録設定部として機能する。
【００４８】
（記録再生装置の構成）
図４は、図１の放送コンテンツの記録予約システムにおける記録再生装置の構成を表す機能ブロック図である。
この記録再生装置４００は、通信部４０１、出力部４０２、入力部４０３、制御部４０４、録画予約情報記憶部４０５、１２セグメント放送受信部４０６、および、録画番組記憶部４０７を備えている。
通信部４０１は、ホームゲートウェイ２００と通信網１１０を通して通信する機能部である。
【００４９】
出力部４０２は、デジタルテレビ受像機５００などの表示デバイスへ１２セグメント放送受信部４０６で受信したデータ等をホームネットワーク１２０を通して転送し、表示に供する。
入力部４０３は、この記録再生装置４００に対する専用コントローラー等を介したユーザの操作に基づく録画予約の操作や１２セグメント放送受信部４０６における番組選択操作等の入力操作を受付ける。
【００５０】
制御部４０４は、ホームゲートウェイ３００からホームネットワーク１２０を通して受信した録画予約コマンドに基づいて録画予約情報を抽出し、録画予約情報記憶部４０５へ保存する。そして、録画予約情報に基づいて１２セグメント放送受信部４０６を用いて、録画番組記憶部４０７へ放送番組を保存する。また、録画予約情報の問い合わせをホームゲートウェイ３００から受信した場合には、録画予約情報記憶部４０５の情報を参照して録画予約情報リストを生成し、該生成した録画予約情報リストをホームゲートウェイ３００へ送信する。
【００５１】
録画予約情報記憶部４０５は、制御部４０４から受信した録画予約情報を記憶し、他機能部から問い合わせがあった場合には、録画予約情報を提供する。
１２セグメント放送受信部４０６は、デジタルチューナ機能を持ち、制御部４０４から指定された１２セグメント放送を受信し、該受信した放送データ（放送コンテンツ）を録画番組記憶部４０７へ転送する。
録画番組記憶部４０７は、１２セグメント受信部４０６から受信した放送データを保存する。また、他機能部から、問い合わせがあった場合には、指定された放送データを提供する。
【００５２】
（記録予約システムの各要素の動作）
次に、フローチャートを適宜参照しつつ、クライアント端末２００、ホームゲートウェイ３００、および、記録再生装置４００の動作について順次説明する。
（クライアント端末の動作）
図５は、図２のクライアント端末が録画予約情報を送信するまでの動作を表すフローチャートである。
図２のクライアント端末２００における番組情報取得部２０４が取得した番組情報から、入力部２０２からのユーザの選択操作に応じて録画予約する番組を選択し、該選択した番組情報を番組情報記憶部２０６へ格納する（Ｓ５０１）。
次いで、番組情報記憶部２０６が保有する番組情報に基づいて、録画予約情報生成部２０５で録画予約情報を生成する（Ｓ５０２）。
更に、生成した録画予約情報を、通信部２０１から通信網１１０を通してホームゲートウェイ３００へ送信する。この録画予約情報は、録画する番組の放送日、時間帯、チャンネル番号のほかに画質、音質、録画予約依頼元のユーザＩＤ等を含む形態を採り得る。
【００５３】
（ホームゲートウェイの動作：その１）
図６は、図３のホームゲートウェイの動作を表すフローチャート（その１）である。このフローチャート（その１）は、ホームゲートウェイ３００における、録画予約情報の受信から、記録再生装置４００に録画予約情報を送信するまでの動作を表している。
ホームゲートウェイ３００の通信部３０１が録画予約情報をクライアント端末２００から通信網１１０を通して受信する（Ｓ６０１）。
【００５４】
次いで、録画予約情報登録部３０２が、ステップＳ６０１で受信した録画予約情報を録画予約情報記憶部３０３へ登録する（Ｓ６０２）。ステップＳ６０２でのこの登録に際して、受信した録画予約依頼元のユーザＩＤ（クライアント端末のユーザＩＤ）を録画予約情報と併せて録画予約情報記憶部３０３に保存する。ステップＳ６０２で保存した、録画予約情報およびクライアント端末のユーザＩＤを、ユーザ毎の録画済コンテンツの振り分けや、その他の番組情報（出演者、ジャンル）と組み合わせて蓄積し、ユーザ嗜好推定部３０９でユーザの嗜好傾向を推定するためのデータベースを構築しても良い。
【００５５】
録画制御部３０４は、録画予約情報記憶部３０３の情報を定期的に参照し、1セグメント放送受信部３０５と録画番組記憶部３０６に対して、指定された日時の録画を実行させる（Ｓ６０３）。即ち、ステップＳ６０３での録画の実行により、選択された1セグメント放送の放送コンテンツが録画番組記憶部３０６に保存される。
次いで、録画制御部３０４は、録画予約情報記憶部３０６の録画予約情報を、記録再生装置制御部３０７の録画予約コマンド処理部３０７ａへ送信する（Ｓ６０４）。
更に、録画予約コマンド処理部３０７ａは、受信した録画予約情報に基づいて、記録再生装置４００向けの録画予約コマンドを生成し、記録再生装置４００へ送信する（Ｓ６０５）。この録画予約コマンドには、録画する番組の日にち、時間、チャンネル番号、画質、音質等の情報が含まれる。
【００５６】
（記録再生装置の動作：その１）
図７は、図４の記録再生装置の動作を表すフローチャート（その１）である。
このフローチャート（その１）は、記録再生装置４００が、録画予約コマンドを受信してから録画制御を実行するまでの動作を表している。
記録再生装置４００の通信部４０１がホームゲートウェイ３００から録画予約コマンドを受信する（Ｓ７０１）。
次いで、制御部４０４が、ステップＳ７０１で受信した録画予約コマンドから録画予約情報を抽出し録画予約情報記憶部へ格納する（Ｓ７０２）。
更に、制御部４０４は、録画予約情報記憶部４０５に保存されている録画予約情報により表されている番組（放送コンテンツ）を１２セグメント放送受信部４０６を用いて、録画番組記憶部４０７に保存する（Ｓ７０３）。
【００５７】
（ホームゲートウェイの動作：その２）
図８は、図３のホームゲートウェイの動作を表すフローチャート（その２）である。このフローチャートは、ホームゲートウェイ３００が記録再生装置に４００に録画予約情報の問合せを行う動作を表している。
ホームゲートウェイ３００の録画予約情報整合管理部３０８は、記録再生装置制御部３０７の録画予約情報問い合わせ処理部３０７ｂで録画予約問い合わせコマンドを生成させる（Ｓ８０１）。
次いで、録画予約情報整合管理部３０８は、ステップＳ８０１で録画予約情報問い合わせ処理部３０７ｂに生成させた録画予約情報問い合わせコマンドを記録再生装置４００に送信する（Ｓ８０２）。
【００５８】
更に、録画予約情報整合管理部３０８は、記録再生装置４００からステップＳ８０２での問合せに対する応答としての録画予約情報（録画予約情報リスト）を受信する（Ｓ８０３）。
次いで、該受信した録画予約情報と、ホームゲートウェイ３００の録画予約情報記憶部３０３に保持されている録画予約情報とを比較する（Ｓ８０４）。ステップＳ８０４における比較の項目は、日にち、時間、チャンネル番号の各項目等を含む。
【００５９】
ステップＳ８０４での比較の処理に基づいて、記録再生装置４００の録画予約情報に、ホームゲートウェイ３００の録画予約情報に存在しない情報があるか否かを判断する（Ｓ８０５）。
ステップＳ８０５で、録画予約情報に存在しない情報があると判断されたときには（ステップＳ８０５：Ｙｅｓ）、当該録画予約情報を録画予約情報記憶部３０３に登録する（Ｓ８０６）。これで処理を終了する。
一方、ステップＳステップＳ８０５で、録画予約情報に存在しない情報は無いと判断されたときには（ステップＳ８０５：Ｎｏ）、そのまま処理を終了する。
【００６０】
（記録再生装置の動作：その２）
図９は、図４の記録再生装置の動作を表すフローチャート（その２）である。このフローチャートは、記録再生装置４００が録画予約情報の問合せに応答する動作を表している。
記録再生装置４００が、ホームゲートウェイ３００から録画予約情報問い合わせコマンドを受信する（Ｓ９０１）。
次いで、録画予約情報記憶部４０５から録画予約情報を読み出し、ステップＳ９０１での録画予約情報問い合わせコマンドに対するレスポンスメッセージを生成する（Ｓ９０２）。このレスポンスメッセージは、例えばＸＭＬ形式等で記述され、録画予約情報が含まれている。
ステップＳ９０２でレスポンスメッセージが生成されると、制御部４０４は、このレスポンスメッセージをホームゲートウェイ３００へ送信する（Ｓ９０３）。
【００６１】
（記録予約に適用されるデータフォーマット）
図１０は、記録予約に適用されるデータフォーマットを例示する図である。このデータフォーマットは図１の記録予約システムにおいて記録予約に適用されるデータフォーマットであり、既述の、ホームゲートウェイ３００の録画予約情報記憶部３０３や、記録再生装置４００の録画予約情報記憶部４０５には、このフォーマットでの録画予約情報が保持される。
図１０に示されるように、このデータフォーマットには、放送局名、番組名、年、月、日、開始時刻、終了時刻、ジャンル、サブジャンル、概要、ユーザＩＤ等が含まれる。
【００６２】
（まとめ）
以上のとおり、本発明の実施の形態によれば、１２セグメント放送と１セグメント放送とにより放送コンテンツが送出されている場合に、記録再生装置側でも１２セグメント放送と１セグメント放送との双方を受信および記録（録画）予約する機能を持つといった負担増を招来することがない。即ち、１セグメント放送に対応するクライアント端末で所望の放送コンテンツの再生を可能にするシステムにおいて、１セグメント放送についての受信および録画予約の機能はホームゲートウェイ側で負担される。更にまた、１２セグメント放送と１セグメント放送との両放送について予約内容が整合した記録予約をクライアント端末側から簡便に行うことが可能になる。
【符号の説明】
【００６３】
１００………………記録予約システム
１１０………………通信網
１２０………………ホームネットワーク
２００………………クライアント端末
２０１………………通信部
２０２………………入力部
２０３………………表示部
２０４………………番組情報取得部
２０５………………録画予約情報生成部
２０６………………番組情報記憶部
３００………………ホームゲートウェイ
３０１………………通信部
３０２………………録画予約情報登録部
３０３………………録画予約情報記憶部
３０４………………録画制御部
３０５………………１セグメント放送受信部
３０６………………録画番組記憶部
３０７………………記録再生装置制御部
３０７ａ……………録画予約コマンド処理部
３０７ｂ……………録画予約情報問合せ処理部
３０８………………録画予約情報記憶部
３０９………………ユーザ嗜好推定部
４００………………記録再生装置
４０１………………通信部
４０２………………出力部
４０３………………入力部
４０４………………制御部
４０５………………録画予約情報記憶部
４０６………………１２セグメント放送受信部
４０７………………録画番組記憶部
５００………………デジタルテレビ受像機
【図１】
2010273171.tif 000003
【図２】
2010273171.tif 000004
【図３】
2010273171.tif 000005
【図４】
2010273171.tif 000006
【図５】
2010273171.tif 000007
【図６】
2010273171.tif 000008
【図７】
2010273171.tif 000009
【図８】
2010273171.tif 000010
【図９】
2010273171.tif 000011
【図１０】
2010273171.tif 000012